(57)【要約】      （修正有）【課題】トレーによってディスク状記録媒体を筐体内に押込んで記録および／または再生を行なうディスクプレーヤにおいて、トレーの駆動のための電気的、電子的な手段を使用することなく、トレーの押込みおよび引出し動作を可能にする。【解決手段】シャーシに対してトレーを移動自在に支持し、トレーを手動によって押込んだときに、トレーに対してエジェクト方向の弾性復元力を発生するぜんまいばねと、押込み位置でロックするためのプッシュ・プッシュ式のロック機構と、押されて検出動作を行なう検出スイッチとを設けるようにし、プッシュ・プッシュ式のロック機構によってロックされるとともに、ぜんまいばねがエジェクトのためのエネルギをチャージする。トレーをさらに押込むことによって、プッシュ・プッシュ式のロック機構によるロックを解除し、ぜんまいばねの弾性復元力によって、駆動歯車、ピニオン、ラックを介してトレーを、エジェクトする。【選択図】図２
2007128616.tif 000002
【特許請求の範囲】
【請求項１】
筐体に対して押込みおよび引出し自在にトレーが取付けられ、前記トレーを引出してディスク状記録媒体を該トレー上に載置し、前記トレーを前記筐体内に押込んで前記ディスク状記録媒体の記録または再生を行なうようにしたディスク式記録再生装置において、
前記トレーが完全に筐体内に押込まれたときに、該トレーを引出す方向に付勢する付勢手段と、
前記トレーが完全に押込まれた状態で該トレーを前記付勢手段による付勢力に抗してロックするロック手段と、
前記トレーが完全に筐体内に押込まれ、かつ前記ロック手段によってロックされたときにそのことを検出する検出手段と、
を有し、前記検出手段が検出した後に記録および／または再生動作が行なわれ、
しかも前記ロック手段によるロックが解除されると、前記付勢手段によって前記トレーが引出し方向に前記ディスク状記録媒体を取出しあるいは載置できるストローク押出されることを特徴とするディスク式記録再生装置。
【請求項２】
前記トレー上に、前記ディスク状記録媒体の半径方向に移動自在に、ピックアップ手段が設けられ、回転するディスク状記録媒体に対して半径方向に移動しながら前記ピックアップ手段がアクセスすると、信号の記録および／または再生が行なわれることを特徴とする請求項１に記載のディスク式記録再生装置。
【請求項３】
前記トレーが、案内手段によって前記筐体に対して押込みおよび引出し自在に取付けられることを特徴とする請求項１に記載のディスク式記録再生装置。
【請求項４】
前記トレーにその押込みおよび引出し方向に延びるラックが設けられるとともに、前記付勢手段がぜんまいばねから構成され、その一端が前記ラックと連動する駆動用歯車に係止され、他端が固定側に係止されることを特徴とする請求項１に記載のディスク式記録再生装置。
【請求項５】
前記ぜんまいばねが、前記筐体内であって前記トレーが押込まれる領域において前記トレーの下側に配され、該ぜんまいばねの一端を係止している駆動用歯車が前記ラックと噛合うピニオンに噛合っていることを特徴とする請求項４に記載のディスク式記録再生装置。
【請求項６】
前記トレーの前記ぜんまいばねによる引出し動作を緩衝する緩衝手段が設けられることを特徴とする請求項４に記載のディスク式記録再生装置。
【請求項７】
前記緩衝手段が、前記ラックと噛合うピニオンと、該ピニオンで駆動される制動輪とを有し、前記制動輪が回転すると摩擦を生じて緩衝動作が行なわれることを特徴とする請求項６に記載のディスク式記録再生装置。
【請求項８】
前記ロック手段が、プッシュ・プッシュ式のロック機構であることを特徴とする請求項１に記載のディスク式記録再生装置。
【請求項９】
前記プッシュ・プッシュ式のロック機構が、前記トレーに設けられたロックピンと、該ロックピンを係止する異形のロック部材とから構成され、前記トレーが押込まれると前記ロックピンが前記ロック部材のロック用凹部に落込んでロックされ、
ロック状態でさらに前記トレーが押込み方向に押込まれると、前記ロックピンが前記ロック用凹部から離脱してロックが解除されることを特徴とする請求項８に記載のディスク式記録再生装置。
【請求項１０】
前記ロックピンが弾性変形可能なアームを介して前記トレーに設けられ、しかも前記ロック部材のロック用凹部の出口部分に臨んで案内用傾斜面が形成され、ロック状態でさらに前記トレーが押込み方向に押込まれると、前記案内用傾斜面によって前記アームが弾性変形して前記ロックピンが前記ロック用凹部に対して側方に偏倚しながら離脱することを特徴とする請求項９に記載のディスク式記録再生装置。
【請求項１１】
前記検出手段が、前記トレーの一部によって押されるスイッチであることを特徴とする請求項１に記載のディスク式記録再生装置。
【請求項１２】
前記スイッチが、前記筐体内であって前記トレーが押込まれる領域のほぼ最奥部の近傍に配され、前記トレーの押込み方向の先端部で押されることを特徴とする請求項１１に記載のディスク式記録再生装置。
【発明の詳細な説明】
【技術分野】
【０００１】
本発明はディスク式記録再生装置に係り、とくに筐体に対して押込みおよび引出し自在にトレーが取付けられ、このトレーによってディスク状記録媒体を筐体内に押込んでディスク状記録媒体の記録または再生を行なうディスク式記録再生装置に関する。
【背景技術】
【０００２】
ＣＤ（コンパクトディスク）等のディスク状記録媒体に対して、光ピックアップによって信号を書込んだりあるいはまた書込まれた信号を読出すようにしたディスクプレーヤが広く用いられている。
【０００３】
例えば特開平７−１８２７５９号公報には、ディスクカートリッジを前後方向に移動可能に保持するカートリッジホルダと、このカートリッジホルダに対して前後方向に移動操作可能であって、ディスクカートリッジに係合するカートリッジ移動板とを有し、カートリッジホルダが前後方向に移動操作されないようにして装置構成を小型化し、また、イジェクト操作時には、ディスクカートリッジをカートリッジ移動板により保持したままの状態で充分に外方側に排出することができるようにしたディスクローディング装置が開示されている。
【０００４】
このようなカートリッジタイプの記録媒体ではなく、ベアディスクを用いるディスクプレーヤの場合には、例えば特開２００４−１７８７１１号公報に開示されているように、筐体に対して移動可能にトレーが設けられ、このトレーの凹部に光ディスクを載置し、この状態でトレーを筐体内に押込むことによって、トレーが筐体内に引込まれ、ディスク状記録媒体が動作可能な位置に移動する。そしてこの位置において、光ピックアップがディスクに対してアクセスし、これによって記録再生の動作を行なう。
【０００５】
従来のこの種のトレー式のディスク搬送機構を設けたディスクプレーヤの場合には、モータによってディスクを引込んだりあるいは押出すようにしている。このようなモータによる駆動方式を採用すると、モータの他に、モータドライバ、制御用マイコンを含むコントロールユニット等を必要とし、これによってコストが増大する。なおパソコンに組込まれて用いられるＣＤドライブは、通常押しこみ動作を手動によって行なうようにしているものの、プランジャによってエジェクト動作を行ない、トレーを解放するようにしている。従ってこの場合には、モータおよびその駆動系を必要としないものの、プランジャおよびプランジャの駆動回路、およびその制御ユニットを必要とし、これによってコストが増大する。
【特許文献１】特開平７−１８２７５９号公報
【特許文献２】特開２００４−１７８７１１号公報
【発明の開示】
【発明が解決しようとする課題】
【０００６】
本願発明の課題は、ディスク状記録媒体を載置して記録および／または再生位置へ移動するトレーを駆動するためのモータや、モータドライバ、マイコンを含む制御ユニット等を全く必要としないようにしたディスク式記録再生装置を提供することである。
【０００７】
本願発明の別の課題は、ディスク状記録媒体を載置して筐体内に引込まれたトレーのエジェクトのためにプランジャを用いないようにし、これによって構造を大幅に簡潔化したディスク式記録再生装置を提供することである。
【０００８】
本願発明のさらに別の課題は、ディスク状記録媒体を筐体内に引込むためのトレーの駆動機構を大幅に簡略化し、これによってコストダウンを可能にしたディスク式記録再生装置を提供することである。
【０００９】
本願発明のさらに別の課題は、操作性を損なうことなく、しかも簡潔な構造のトレーの駆動機構を有するディスク式記録再生装置を提供することである。
【００１０】
本願発明のさらに別の課題は、ディスク状記録媒体を載置したトレーの押込みおよび引出し動作を、手動によって行なうようにしたディスク式記録再生装置を提供することである。
【００１１】
本願発明のさらに別の課題は、ディスク状記録媒体を載置したトレーの押込みを手動によって行なうとともに、トレーの引出し動作を自動的に行なうようにしたディスク式記録再生装置を提供することである。
【００１２】
本願発明の上記の課題および別の課題は、以下に述べる本願発明の技術的思想、およびその実施の形態によって明らかにされる。
【課題を解決するための手段】
【００１３】
本願の主要な発明は、筐体に対して押込みおよび引出し自在にトレーが取付けられ、前記トレーを引出してディスク状記録媒体を該トレー上に載置し、前記トレーを前記筐体内に押込んで前記ディスク状記録媒体の記録または再生を行なうようにしたディスク式記録再生装置において、
前記トレーが完全に筐体内に押込まれたときに、該トレーを引出す方向に付勢する付勢手段と、
前記トレーが完全に押込まれた状態で該トレーを前記付勢手段による付勢力に抗してロックするロック手段と、
前記トレーが完全に筐体内に押込まれ、かつ前記ロック手段によってロックされたときにそのことを検出する検出手段と、
を有し、前記検出手段が検出した後に記録および／または再生動作が行なわれ、
しかも前記ロック手段によるロックが解除されると、前記付勢手段によって前記トレーが引出し方向に前記ディスク状記録媒体を取出しあるいは載置できるストローク押出されることを特徴とするディスク式記録再生装置に関するものである。
【００１４】
ここで、前記トレー上に、前記ディスク状記録媒体の半径方向に移動自在に、ピックアップ手段が設けられ、回転するディスク状記録媒体に対して半径方向に移動しながら前記ピックアップ手段がアクセスすると、信号の記録および／または再生が行なわれてよい。また前記トレーが、案内手段によって前記筐体に対して押込みおよび引出し自在に取付けられてよい。また前記トレーにその押込みおよび引出し方向に延びるラックが設けられるとともに、前記付勢手段がぜんまいばねから構成され、その一端が前記ラックと連動する駆動用歯車に係止され、他端が固定側に係止されてよい。また前記ぜんまいばねが、前記筐体内であって前記トレーが押込まれる領域において前記トレーの下側に配され、該ぜんまいばねの一端を係止している駆動用歯車が前記ラックと噛合うピニオンに噛合っていてよい。
【００１５】
また前記トレーの前記ぜんまいばねによる引出し動作を緩衝する緩衝手段が設けられてよい。また前記緩衝手段が、前記ラックと噛合うピニオンと、該ピニオンで駆動される制動輪とを有し、前記制動輪が回転すると摩擦を生じて緩衝動作が行なわれてよい。
【００１６】
また前記ロック手段が、プッシュ・プッシュ式のロック機構であってよい。また前記プッシュ・プッシュ式のロック機構が、前記トレーに設けられたロックピンと、該ロックピンを係止する異形のロック部材とから構成され、前記トレーが押込まれると前記ロックピンが前記ロック部材のロック用凹部に落込んでロックされ、ロック状態でさらに前記トレーが押込み方向に押込まれると、前記ロックピンが前記ロック用凹部から離脱してロックが解除されてよい。また前記ロックピンが弾性変形可能なアームを介して前記トレーに設けられ、しかも前記ロック部材のロック用凹部の出口部分に臨んで案内用傾斜面が形成され、ロック状態でさらに前記トレーが押込み方向に押込まれると、前記案内用傾斜面によって前記アームが弾性変形して前記ロックピンが前記ロック用凹部に対して側方に偏倚しながら離脱するようにしてよい。
【００１７】
また前記検出手段が、前記トレーの一部によって押されるスイッチであってよい。また前記スイッチが、前記筐体内であって前記トレーが押込まれる領域のほぼ最奥部の近傍に配され、前記トレーの押込み方向の先端部で押されるようにしてよい。
【００１８】
本願発明の好ましい態様は、ディスク状記録媒体を載置したトレーを筐体内に押込む動作を手動操作によって行なうようにし、このようなトレーの押込み操作の際に、トレーに設けられているラックによってピニオンおよび駆動用歯車を介してぜんまいばねを締付けるようにチャージし、トレーが記録再生位置へ完全に移動されると、該トレーがプッシュ・プッシュ式のロック機構によってロックされ、しかも完全に押込まれて動作位置にあるトレーに対してさらに押込むことによって、上記のロック機構によるロックが解除され、トレーはぜんまいばねの弾性復元力によって、駆動用歯車、ピニオン、およびラックを介して引出し方向にほぼ全ストローク引出されるようにしたものである。
【００１９】
このような構成によると、トレーを押出し方向および引出し方向に移動させるモータ、モータドライバ、マイコンを含む制御ユニット、エジェクト用プランジャ等を必要とせず、トレーの駆動機構をメカニカルな構成のみによって達成することが可能になる。しかもトレーの押込み時にチャージされるぜんまいばねによって貯えられる弾性エネルギを利用して、トレーを自動的に引出すことが可能になる。従ってトレーの駆動機構が簡略化されるとともに、半自動式のトレーの駆動機構が提供される。またトレーの駆動部の大幅なコストダウンが可能になる。
【発明の効果】
【００２０】
本願の主要な発明は、筐体に対して押込みおよび引出し自在にトレーが取付けられ、トレーを引出してディスク状記録媒体を該トレー上に載置し、トレーを筐体内に押込んでディスク状記録媒体の記録または再生を行なうようにしたディスク式記録再生装置において、トレーが完全に筐体内に押込まれたときに、該トレーを引出す方向に付勢する付勢手段と、トレーが完全に押込まれた状態で該トレーを付勢手段による付勢力に抗してロックするロック手段と、トレーが完全に筐体内に押込まれ、かつロック手段によってロックされたときにそのことを検出する検出手段と、を有し、検出手段が検出した後に記録および／または再生動作が行なわれ、しかもロック手段によるロックが解除されると、付勢手段によってトレーが引出し方向にディスク状記録媒体を取出しあるいは載置できるストローク押出されるようにしたものである。
【００２１】
従ってこのようなディスク式記録再生装置によると、その上にディスク状記録媒体を載置したトレーを筐体内に押込むと、付勢手段がチャージされるとともに、トレーが完全に押込まれた状態でロック手段によってロックされるようになり、そのことが検出手段によって検出される。従ってこのような状態で記録および／または再生動作が行なわれる。しかもロックされたトレーをさらに押込むと、上記ロック手段によるトレーのロックが解除され、付勢手段の付勢力でトレーが引出し方向にディスク状記録媒体を取出しあるいは載置できるストローク押出されることになる。これによってモータやプランジャ、あるいはそれらのドライバ、あるいは制御用マイコンを含む制御ユニットを全く必要としないトレーの駆動機構を有するディスク式記録再生装置を提供することが可能になる。
【発明を実施するための最良の形態】
【００２２】
以下本願発明を図示の実施の形態によって説明する。図１および図２は、本実施の形態に係るディスクプレーヤのほぼ全体の構成を示すものであって、このディスクプレーヤは直方体状をなす外筐１０を備え、この外筐１０内にシャーシ１１が固定して配されている。そしてシャーシ１１に対して移動および引出し自在にトレー１２が設けられている。すなわち外筐１０の前面側開口１４に対して移動可能にトレー１２が組込まれている。
【００２３】
トレー１２は、シャーシ１１の両側に設けられている側壁１３上の案内手段によって案内されるようになっている。案内手段の構成について説明すると、左右の側壁１３の奥側の部分には、トレー１２の移動方向に比較的長い案内部材１５が設けられ、これらの案内部材１５の上面に設けられている突条１６がトレー１２の下面の溝に係合されるようになっている。また左側の側壁１３の内側には、トレー１２の移動方向に対して比較的短い案内部材１７が設けられ、その上面に突条１８が形成され、突条１８がトレー１２の溝に嵌まり込んでいる。また右側の側壁１３の内側には、トレー１２の移動方向に対して短い案内部材１９が設けられ、この案内部材１９の上面の突部２０がトレー１２の下側の溝の部分に係合されるようになっている。
【００２４】
次に上記トレー１２を押さえる構造について説明する。左側の側壁１３の内側面には押さえ２３が設けられ、これに対して右側の側壁１３の内側には一対の押さえ２４、２５が設けられている。これらの押さえ２４、２５によって、上述の案内部材１５、１７、１９による案内面から上方にトレー１２が浮上がるのを防止している。また左右の側壁１３の内側にはそれぞれストッパ２６が設けられている。ストッパ２６は弾性変形可能であって、トレー１２の奥側であってその左右の部分に設けられている爪２７が乗越えられるようになっている。しかもトレー１２が引出し方向に移動されると、上記ストッパ２６に当接し、これによって最大の引出し位置を規制している。
【００２５】
このように外筐１０およびシャーシ１１に対して移動可能に取付けられているトレー１２上の構造について説明する。トレー１２には、円形の凹部２９が形成され、この凹部２９によってベアディスクから成るＣＤ（コンパクトディスク）を受入れて保持するようにしている。また上記円形の凹部２９を横切るように、異形の開口３０が形成され、この開口３０の部分にピックアップユニット３１が取付けられている。ピックアップユニット３１は、上記円形の凹部２９の中心と一致するように、スピンドルモータ３２を備え、このスピンドルモータ３２の出力軸にはターンテーブル３３が直結されている。またピックアップユニット３１は円形の凹部２９の半径方向に移動する長孔３４を備え、この長孔３４によって光ピックアップ３５を移動可能に支持している。すなわち光ピックアップ３５は、長孔３４の両側のガイドロッド３６によって、ターンテーブル３３上に載置されるコンパクトディスクの半径方向に移動可能に案内されている。しかも光ピックアップ３５は、ピックアップユニット３１の下部に設けられているモータ３７によって、図示を省略した送りねじを介してコンパクトディスクの半径方向に移動されるようになっている。
【００２６】
次にトレー１２を引出し方向に引出すエジェクトのための付勢手段について説明する。シャーシ１１上にはぜんまいばね６５が配されており、歯車６６の支軸６７の回りに巻装されている。そしてぜんまいばね６５の一端は、上記歯車６６の支軸６７に形成されているスリット６８（図８参照）に挿入されて係止されている。これに対してぜんまいばね６５の他端側の部分は、シャーシ１１上に設けられている係止部６９によって係止されている（図１および図２参照）。
【００２７】
トレー１２の図１および図２における右側部であって下面には、このトレー１２の押込みおよび引出し方向に延びるラック７２が形成されている。このラック７２は、ピニオン７３に噛合っている。ピニオン７３は、支軸７４によって回転可能に支持されている。しかもピニオン７３は、図９に示す制動輪７５の外周側の歯車７６に噛合っている。制動輪７５は支軸７７によって回転可能に支持されるとともに、支軸７７の上端の押さえ７８およびばね７９によって、フェルト板８０に押圧されている。フェルト板８０はシャーシ１１の突部８１上において、上記支軸７７の外周部に配されている。
【００２８】
次にトレー１２を押込んだときにロックする機構について説明する。トレー１２は合成樹脂の成形体から成り、その奥側の部分に矩形の開口４７が形成されるとともに、この開口４７内に突出するように、弾性アーム４８が一体に連設されている。弾性アーム４８の先端側の部分には下方に突出してロックピン４９が連設されている。このロックピン４９は、ロック部材５０のロック用凹部５１に係合する。すなわちトレー１２が押込まれた状態で、上記ロック用凹部５１にロックピン４９が係合されて該トレーがロックされるようになっている。
【００２９】
ロックピン４９をロックするロック部材５０に構造についてより詳細に説明すると、とくに図３〜図６に示すように、ロック部材５０はその入口側の部分に傾斜面５４を備え、しかもこの傾斜面５４の終端側が水平な段部５５になっている。そしてロック部材５０は、上記段部５５の終端部において３角形の突部５６を備えている。上記３角形の突部５６の一側部が案内用傾斜面５７になっている。案内用傾斜面５７は、上記ロック用凹部５１の出口部分に臨んでいる。
【００３０】
次に上記トレー１２上にディスク状記録媒体が載置された状態で、このトレーが押込まれてロック部材５０によってロックされたときに、そのことを検出する検出手段について説明すると、図１および図２に示すように、シャーシ１１の最奥部の近傍には検出スイッチ６０が設けられ、この検出スイッチ６０の操作子を押圧するリブ６１がトレー１２の下面であって先端側の部分に取付けられている。
【００３１】
次に以上のような構成に係るディスク式記録再生装置における、トレー１２によるディスク状記録媒体の押込みおよびエジェクトの動作の概要を説明する。図２に示すようにトレー１２が引出された状態で、このトレー１２の円形の凹部２９内に光ディスクを載置する。そしてこの状態で、トレー１２を手で外筐１０内に押込む。トレー１２は左右の案内部材１５、１７、１９によって案内されながら図２に示す状態から図１に示す状態に押込まれる。
【００３２】
トレー１２が完全に押込まれると、トレー１２に設けられている弾性アーム４８がプッシュ・プッシュ式のロック機構を構成するロック部材５０のロック用凹部５１内に落込み、これによってトレー１２がロックされる。またトレー１２の押込み動作に連動して、ラック７２がピニオン７３を介して駆動用歯車６６によって、ぜんまいばね６５を弾性変形して弾性エネルギをチャージする。
【００３３】
上記トレー１２の押込みと、ロック部材５０から成るプッシュ・プッシュ式のロック機構によるロックに連動して、トレー１２の先端側下面のリブ６１が検出スイッチ６０を押圧する。従ってこの検出動作を完了した後に、例えば操作釦の操作に連動して、トレー１２上のディスク状記録媒体に対する記録再生の動作が行なわれる。この動作は、スピンドルモータ３２によってターンテーブル３３を介して光ディスクをトレー１２の円形の凹部２９から浮かした状態で回転駆動する。そしてこのときに、モータ３７によって、長孔３４に沿って、光ディスクの半径方向に光ピックアップ３５を移動させることにより行なう。このような動作によって、トレー１２によって引込まれたディスク状記録媒体に対する記録および／または再生動作が行なわれる。
【００３４】
所定の記録および／または再生動作を完了した後に、指でトレー１２の先端側の部分を横長開口１４を通して筐体１０内に押込む。するとトレー１２のロックピン４９が、ロック部材５０のロック用凹部５１から離脱し、これによってトレー１２のロックが解除される。従ってトレー１２は、ぜんまいばね６５の弾性復元力によって、駆動用歯車６６、ピニオン７３、およびラック７２を介して押出し方向、あるいは引出し方向に押出される。これがエジェクト動作である。従ってトレー１２のエジェクトあるいは引出しは、その開始時におけるロック解除動作のみを手動によって行なえばよく、その後はトレー１２のエジェクトが自動的に行なわれる。
【００３５】
このときのぜんまいばね６５によるトレー１２のエジェクト量は、図２に示すように、このトレー１２のほぼ完全な引出しストロークに設定されており、従ってトレー１２はその最奥部の両側に設けられている爪２７がストッパ２６にほぼ当接する位置まで引出される。従ってこの状態で、トレー１２上の円形の凹部２９に載置されているディスク状記録媒体を取外し、あるいはまた別のディスク状記録媒体をトレー１２の円形の凹部２９上に載置することが可能になる。なお上記ロック部材５０によるトレー１２のロックが解除され、トレー１２がぜんまいばね６５によって押出されると、検出スイッチ６０のトレー１２のリブ６１による押圧が解除され、これによって検出スイッチ６０はＯＦＦ状態に切換えられる。
【００３６】
なお上述のトレー１２のエジェクト動作の際に、トレー１２が移動することによって、ラック７２を介してピニオン７３が駆動され、さらに制動輪７５の歯車７６が駆動される。従って制動輪７５はフェルト板８０との間で摩擦力を生じ、これによって制動動作が行なわれる。この制動力が緩衝作用を発現するために、トレー１２の押込みおよび引出しの緩衝が行なわれる。
【００３７】
ここでとくにトレー１２のロックピン４９をロックするロック部材５０から成るプッシュ・プッシュ式のロック機構の動作を図７を参照しながら説明する。トレー１２が押込まれると、図７Ａの位置のロックピン４９が図７Ｂに示すように、斜めの案内壁５３によって押され、傾斜面５４を上昇し、段部５５上に昇る。なおこのときに弾性アーム４８が右方および上方に弾性変形し、ロックピン４９が上方に移動する。
【００３８】
この後に段部５５上を通過したロックピン４９はロック部材５０の先端側の部分を通過し、トレー１２がぜんまいばね６５によって引出し方向に付勢されているために、弾性アーム４８の弾性復元力によって左方に偏倚した後に、ロック用凹部５１に落込む（図７Ｃ、Ｄ参照）。そして完全にロック用凹部５１に落込むと、ロックピン４９は段部５５の左端から外れるために、弾性アーム４８の弾性復元力によって、ロックピン４９が下方に移動する。
【００３９】
次にロック解除の動作を説明する。ロック解除の動作は、トレー１２がロックされている状態でさらにこのトレー１２を押込むことによって行なわれる。トレー１２をさらに押込み方向に押圧すると、ロックピン４９が図７Ｅに示すように、ロック用凹部５１から離脱する。そしてこの後にロックピン４９は、段部５５の左側の壁面および３角形の突部５６の側面の案内用傾斜面５７によって案内されながら左方に偏倚する。なおロックピン４９は段部５５の左端から落下して下がっているために、この段部５５の左端で規制され、段部５５上に昇って右方に移動することはない。そしてこの後にロック部材５０の側方を通過し（図７  Ｆ、Ｇ参照）、さらにロック部材５０から離間する（図７Ｈ参照）。そしてロック部材５０から離間すると、ロックピン４９を先端に備える弾性アーム４８は真っ直ぐな状態になり、元の状態に復帰する。
【００４０】
このように本実施の形態のディスクプレーヤにおいては、押込み動作を手動で行なうトレー１２を備え、このトレー１２にラック７２を設けるとともに、シャーシ１１上にピニオン７３と駆動用歯車６６とを設け、ぜんまいばね６５の一端を駆動用歯車６６に係止し、他端をシャーシ１１の係止部６９に係止する。なおここでぜんまいばね６５は初張力を持つように配置される。また上記駆動歯車６６と連動する歯車７６を有する制動輪を設ける。ここで制動輪７５は、乾式クラッチあるいはオイルダンパ等の負荷となる制動手段を設けておくようにする。
【００４１】
トレー１２が引出されてエジェクト状態にあるときに、ユーザが手動でトレーを押込んでいくと、トレー１２に設けられたラック７２によって、ピニオン７３を介してシャーシ１１に支持された駆動用歯車６６が回転し、これによって駆動用歯車６６に一端が係止されたぜんまいばね６５が締付けられるように弾性変形され、駆動歯車６６の支軸６７に巻付くようになる。そしてトレー１２は、プッシュ・プッシュ式のロック機構を構成するロック部材５０のロック用凹部５１によってロックピン４９がロックされるまで、ぜんまいばね６５を巻続け、ぜんまいばね６５が巻かれた状態でロックされるようになる。
【００４２】
エジェクト動作は、ぜんまいばね６５が支軸６７を締付ける方向とは逆の解放する方向に働き、シャーシ１１上の駆動用歯車６６およびピニオン７３を介してラック７２を押戻すようになり、トレー１２はほぼ完全なエジェクト位置まで引出される。そしてエジェクト限界位置において、トレー１２の爪２７とストッパ２６とが当接して停止する（図２参照）。このときにシャーシ１１に設けられた制動輪７５の乾式クラッチの滑りトルクあるいはオイルダンパの粘性によって、トレー１２の移動動作に負荷を与えることによって、急激なぜんまいばね６５のとくにエジェクト動作を和らげ、スムースな動作をさせることが可能になる。
【００４３】
またトレー１２に配置されたラック７２から、ぜんまいばね６５が係止されている駆動用歯車６６までのギヤトレーンを減速させることによって、ぜんまいばね６５が係止されている駆動用歯車６６の回転速度を調整することによって、トレー１２の移動量に対して自由にぜんまいばね６５の巻付け量を調整することが可能になる。
【００４４】
以上本願発明を図示の実施の形態によって説明したが、本願発明は上記実施の形態によって限定されることなく、本願に含まれる発明の技術的思想の範囲内において各種の変更が可能である。例えばトレー１２によって押込まれるディスク状記録媒体としては、ＣＤに限らず、各種のフォーマットのディスク状記録媒体が用いられる。また上記実施の形態は、トレー１２上にターンテーブル３３およびピックアップ３５を配した構成であるが、ターンテーブル３３および光ピックアップ３５をシャーシ１１側に取付けるようにしてもよい。
【産業上の利用可能性】
【００４５】
本願発明は、ＣＤ等の光ディスクを用いる光ディスクプレーヤに広く適用可能である。
【図面の簡単な説明】
【００４６】
【図１】ディスク式記録再生装置の要部平面図である。
【図２】トレーを引出した状態のディスク式記録再生装置の平面図である。
【図３】プッシュ・プッシュ式のロック機構の左側面図、平面図、および右側面図である。
【図４】図３ＢにおけるＤ−Ｄ線断面図である。
【図５】図３ＢにおけるＥ−Ｅ線矢視図である。
【図６】プッシュ・プッシュ式のロック機構の要部分解斜視図である。
【図７】プッシュ・プッシュ式のロック機構によるロック動作（Ａ〜Ｄ）およびロック解除動作（Ｅ〜Ｈ）を示す平面図である。
【図８】変形例のディスク式記録再生装置の要部平面図である。
【図９】同変形例における制動輪の構成を示す縦断面図である。
【符号の説明】
【００４７】
１０…外筐、１１…シャーシ、１２…トレー、１３…側壁、１４…前面側開  口、１５…案内部材、１６…突条、１７…案内部材、１８…突条、１９…案内部材、２０…突部、２３、２４、２５…押さえ、２６…ストッパ、２７…爪、２９…円形の凹部、３０…開口、３１…ピックアップユニット、３２…スピンドルモータ、３３…ターンテーブル、３４…長孔、３５…光ピックアップ、３６…ガイドロッド、３７…モータ、４７…開口、４８…弾性アーム、４９…ロックピン、５０…ロック部材、５１…ロック用凹部、５３…斜めの案内壁、５４…傾斜面、５５…段部、５６…３角形の突部、５７…案内用傾斜面、６０…検出スイッチ、６１…リブ、６５…ぜんまいばね、６６…歯車、６７…支軸、６８…スリット、６９…係止部、７２…ラック、７３…ピニオン、７４…支軸、７５…制動輪、７６…歯車、７７…支軸、７８…押さえ、７９…ばね、８０…フェルト板、８１…突部
【図１】
2007128616.tif 000003
【図２】
2007128616.tif 000004
【図３】
2007128616.tif 000005
【図４】
2007128616.tif 000006
【図５】
2007128616.tif 000007
【図６】
2007128616.tif 000008
【図７】
2007128616.tif 000009
【図８】
2007128616.tif 000010
【図９】
2007128616.tif 000011